(57)【要約】【課題】低コスト化を図りつつ、十分な浄化性能を発揮する。【解決手段】処理槽１に被処理水を導入し、この被処理水及び表面に光触媒７を有する複数の粒状吸着材２を、散気装置３により槽１内で流動させながら、紫外線照射ランプ４により紫外線照射することで、粒状吸着材２の表面に紫外線を満遍なく受光させ、光触媒反応を高効率で進行させてＯＨラジカルを効果的に生じさせ、このＯＨラジカルにより、粒状吸着材２に吸着した有機汚濁物質（ＢＯＤ、ＣＯＤ、環境ホルモン等）を酸化分解すると共に当該粒状吸着材２を再生し、且つ、ＮＨ３、ＮＯｘ類を酸化するという有効な浄化を行いつつ、流動する粒状吸着材２を、簡易且つ安価であるバッフル板８に衝突させ、排出部５を通して槽１内から流出することを妨げる。【選択図】図１
2008142601.tif 000002
【特許請求の範囲】
【請求項１】
被処理水を導入し浄化するための処理槽と、
前記被処理水及び表面に光触媒を有する複数の粒状吸着材を前記槽内で流動させるための散気装置と、
前記粒状吸着材に紫外線を照射するための紫外線照射ランプと、
前記槽内から処理水を排出するための排出部と、
流動する粒状吸着材が衝突し、当該粒状吸着材が前記排出部を通して前記槽内から流出することを妨げるためのバッフル板と、具備したことを特徴とする水処理装置。
【請求項２】
前記散気装置の散気部は、前記槽内の底部略中央に配設され、
前記紫外線照射ランプは、前記槽内の略中央に上下方向に延在するように設けられることを特徴とする請求項１記載の水処理装置。
【請求項３】
前記排出部は、前記槽を構成する壁側に位置し前記被処理水の水面位置近傍に設けられ、
前記バッフル板は、前記槽内の略中央に配設され、筒状を成すと共に底部に向かうに従い径が拡大し前記被処理水の上部に浸漬可能とされることを特徴とする請求項２記載の水処理装置。
【請求項４】
前記紫外線照射ランプの下方に配設され、逆円錐形状を有する保護板を備えたことを特徴とする請求項２又は３記載の水処理装置。
【発明の詳細な説明】
【技術分野】
【０００１】
本発明は、水処理装置に関する。
【背景技術】
【０００２】
従来、廃液を処理する装置として、廃液を処理室に導入し、廃液及び光触媒をコーティングした担体を処理室で流動させながら、担体に紫外線を照射し、光触媒反応を生じさせ有機塩素化合物を分解して浄化し、この処理水を排出口を通して後段に供する装置が知られている（例えば、特許文献１参照）。
【特許文献１】特開２００４−３５８４６７号公報
【発明の開示】
【発明が解決しようとする課題】
【０００３】
しかしながら、上記装置にあっては、使用に連れて浄化性能が低下するという問題がある。特に、廃液の導入、光触媒処理、処理水の排出を連続的に行う連続処理の場合には特に顕著となる。
【０００４】
本発明は、このような課題を解決するために成されたものであり、十分な浄化性能を発揮できる水処理装置を提供することを目的とする。
【課題を解決するための手段】
【０００５】
ここで、本発明者らは、鋭意研究を重ねた結果、使用に連れて浄化性能が低下するのは、光触媒反応を生じる担体が後段に流出し、担体が処理室内で減少してしまうことが原因であることを見出した。
【０００６】
そこで、本発明による水処理装置は、被処理水を導入し浄化するための処理槽と、被処理水及び表面に光触媒を有する複数の粒状吸着材を槽内で流動させるための散気装置と、粒状吸着材に紫外線を照射するための紫外線照射ランプと、槽内から処理水を排出するための排出部と、流動する粒状吸着材が衝突し、当該粒状吸着材が排出部を通して槽内から流出することを妨げるためのバッフル板と、を具備したことを特徴としている。
【０００７】
このような水処理装置によれば、処理槽に被処理水が導入され、この被処理水及び表面に光触媒を有する複数の粒状吸着材が、散気装置により槽内で流動しながら、紫外線照射ランプにより紫外線照射されるため、粒状吸着材の表面は紫外線を満遍なく受光し、光触媒反応が高効率で進行してＯＨラジカルが効果的に生じ、このＯＨラジカルにより、粒状吸着材に吸着された有機汚濁物質（ＢＯＤ、ＣＯＤ、環境ホルモン等）が酸化分解されると共に当該粒状吸着材が再生され、且つ、ＮＨ３、ＮＯｘ類は酸化されるという有効な浄化が成されつつ、流動する粒状吸着材はバッフル板に衝突し、排出部を通して槽内から流出することが妨げられる。従って、簡易且つ安価な構成のバッフル板により低コスト化を図りつつ、十分な浄化性能を発揮できる。加えて、装置での藻類の繁殖を防止できる。
【０００８】
ここで、散気装置の散気部は、槽内の底部略中央に配設され、紫外線照射ランプは、槽内の略中央に上下方向に延在するように設けられるのが好ましい。このような構成を採用した場合、底部略中央に配設された散気装置の散気部により、槽内には、略中央を上昇して外周側に向かい外周側を下降して略中央に向かう被処理水及び粒状吸着材の旋回循環流が形成されるため、全ての粒状吸着材が、槽内の略中央に上下方向に延在するように設けられた紫外線照射ランプの近傍を通ることになり、粒状吸着材の表面は紫外線を近距離で受光し、光触媒反応が一層高効率で進行するようになる。
【０００９】
また、排出部は、槽を構成する壁側に位置し被処理水の水面位置近傍に設けられ、バッフル板は、槽内の略中央に配設され、筒状を成すと共に底部に向かうに従い径が拡大し被処理水の上部に浸漬可能とされるのが好ましい。このような構成を採用した場合、槽内の略中央を上昇する粒状吸着材や上昇してから外周側に向かう粒状吸着材が、バッフル板に衝突し、排出部に向かうのが効果的に阻止され、槽内からの流出が防止される。また、被処理水中を上昇するガスは、バッフル板に集められ、その上部から排出されるため、ガス抜き管としても機能する。
【００１０】
また、紫外線照射ランプの下方に配設され、逆円錐形状を有する保護板を備えるのが好ましい。このような構成を採用した場合、保護板の逆円錐形状により上記旋回循環流が乱されること無く、当該保護板により紫外線照射ランプに対する粒状吸着材の衝突が防止され保護される。
【発明の効果】
【００１１】
このように本発明によれば、低コスト化を図りつつ、十分な浄化性能を発揮することが可能となる。
【発明を実施するための最良の形態】
【００１２】
以下、本発明による水処理装置の好適な実施形態について図１及び図２を参照しながら説明する。なお、各図において、同一の要素には同一符号を付し、重複する説明は省略する。図１は、第一実施形態に係る水処理装置を示す概略構成図であり、本実施形態の水処理装置は、水処理設備に設けられるもので、有機汚濁物質（ＢＯＤ、ＣＯＤ、環境ホルモン等）、ＮＨ３、ＮＯｘ類を含む被処理水を浄化するためのものである。
【００１３】
図１に示すように、水処理装置１００は概略、被処理水が導入される処理槽１と、槽１内に導入された多数の粒状吸着材２と、槽１内を散気する散気装置３と、槽１内に紫外線を照射する紫外線照射ランプ４と、槽１内から処理水を排出する排出部５と、を備えている。
【００１４】
処理槽１は、被処理水を槽１内に導入するための散水管６を下部に備え、この散水管６により被処理水を槽１内の下部から一様に導入する。
【００１５】
粒状吸着材２は、被処理水中の有機汚濁物質を吸着するための粒状体であり、例えば、活性炭、ゼオライト、ベントナイト、シリカゲル等が用いられる。ここでは、特に好ましいとして、ヤシ殻活性炭が用いられ、１〜６ｍｍ程度のものが用いられている。
【００１６】
この粒状吸着材２は、その表面に光触媒７を有している。この光触媒７は、紫外線が照射されると、光触媒反応を生じるもので、ここでは、特に好ましいとして、酸化チタン（ＴｉＯ２）が用いられている。この酸化チタンは、波長３８７ｎｍ以下の紫外線が照射されると、極めて強力な光触媒反応である酸化・還元作用を示す。この光触媒７は、粒状吸着材２の表面に例えばコーティング等により設けられている。
【００１７】
散気装置３は、例えば、空気、酸素、オゾン、窒素等の気体を給気して槽１内の散気部３ａから散気し、槽１内の被処理水及び粒状吸着材２を流動させるものである。この散気部３ａは、槽１内の底部略中央に配設されて散気し、これにより、槽１内に、仮想線で示すように、略中央を上昇して外周側に向かい外周側を下降して略中央に向かう被処理水及び粒状吸着材２の旋回循環流Ｓを形成する。
【００１８】
紫外線照射ランプ４は、粒状吸着材２に紫外線を照射するためのものであり、槽１内の略中央で散水管６及び散気部３ａより上方の位置に、上下方向に延在すると共に被処理水に浸漬するように設けられている。この紫外線照射ランプ４としては、例えば、ＵＶランプ、蛍光灯、ブラックライト等が用いられる。
【００１９】
排出部５は、ここでは、槽１を構成する壁側に位置し被処理水の水面位置近傍に設けられている環状の集水樋である。この排出部５は、槽１内から越流する上澄水を処理水（浄化水）として後段に排出する。
【００２０】
ここで、特に本実施形態においては、槽１内を流動する粒状吸着材２が衝突し、排出部５を通して槽１内から流出することを妨げるためのバッフル板８を備えている。
【００２１】
このバッフル板８は、槽１内の略中央に配設され、円筒形状を成す上部８ａに、槽１内の底部に向かうに従い内外径が共に拡大する筒状円錐台形状の拡径部８ｂを連設した構成とされている。そして、このバッフル板８は、当該バッフル板８内に紫外線照射ランプ４の上部が位置すると共に、その拡径部８ｂが槽１内の被処理水の上部に浸漬するように設けられている。
【００２２】
このように構成された水処理装置１００によれば、処理槽１内に散水管６を介して被処理水が導入され、散気装置３の散気部３ａから散気することにより、被処理水及び粒状吸着材２が槽１内で旋回循環流Ｓを形成しながら流動し、流動する粒状吸着材２に対して紫外線照射ランプ４により紫外線が照射される。
【００２３】
この状態にあって、被処理水中の有機汚濁物質は粒状吸着材２に吸着される。この粒状吸着材２は流動しているため、当該粒状吸着材２の表面は紫外線を満遍なく受光し、光触媒反応が高効率で進行する。しかも、旋回循環流Ｓにより、全ての粒状吸着材２が、槽１内の略中央に上下方向に延在するように設けられた紫外線照射ランプ４の近傍を通るため、粒状吸着材２の表面は紫外線を近距離で受光し、光触媒反応が一層高効率で進行する。
【００２４】
この高効率で生じる光触媒反応により、ＯＨラジカルが効果的に生じ、当該ＯＨラジカルにより、粒状吸着材２に吸着された有機汚濁物質が酸化分解されると共に当該粒状吸着材２が再生され、この有機汚濁物質の吸着、酸化分解、粒状吸着材２の再生が繰り返される。
【００２５】
また、被処理水中のＮＨ３、ＮＯｘ類は、光触媒反応により生じたＯＨラジカルにより酸化される。
【００２６】
このように、光触媒反応により、有機汚濁物質の酸化分解、ＮＨ３、ＮＯｘ類の酸化が行われるため、被処理水は有効に浄化される。
【００２７】
この状態にあって、旋回循環流Ｓで流動する粒状吸着材２は、上昇した時や上昇してから外周側に向かう時に、バッフル板８の拡径部８ｂに衝突し、下方や外周側の下方に向かって沈降し、再度旋回循環流Ｓで流動する。このため、粒状吸着材２が排出部５に向かうことが効果的に阻止され、粒状吸着材２の槽１内からの流出が防止される。
【００２８】
また、粒状吸着材２の流出を防止するバッフル板８は、ガス抜き管としても機能し、被処理水中を上昇するガスは、末広がりの拡径部８ｂに効果的に集められて、上部８ａから排出される。
【００２９】
一方、槽１内の処理水（上澄水）は、バッフル板８の下端をくぐって外周側に至り、排出部５を介して排出される。
【００３０】
このように、本実施形態においては、被処理水及び表面に光触媒７を有する複数の粒状吸着材２を、散気装置３により槽１内で流動させながら、紫外線照射ランプ４により紫外線照射することで、前述した有効な浄化を行いつつ、流動する粒状吸着材２をバッフル板８に衝突させることで、排出部５を通して槽１内から流出するのを妨げるようにしているため、簡易且つ安価な構成のバッフル板８により低コスト化を図りつつ、十分な浄化性能を発揮することができる。また、本実施形態によれば、装置での藻類の繁殖を防止することもできる。
【００３１】
図２は、本発明の第二実施形態に係る水処理装置を示す概略構成図である。
【００３２】
この第二実施形態の水処理装置２００が第一実施形態の水処理装置１００と違う点は、紫外線照射ランプ４の下方に、逆円錐形状を成す保護板９を設けた点である。
【００３３】
この第二実施形態の水処理装置２００によれば、保護板９の逆円錐形状により上記旋回循環流Ｓが乱されること無く、当該保護板９により紫外線照射ランプ４に対する粒状吸着材２の衝突が防止され保護されるようになる。
【００３４】
以上、本発明をその実施形態に基づき具体的に説明したが、本発明は上記実施形態に限定されるものではない。例えば、上記実施形態においては、旋回循環流Ｓを形成すると共に照射効率を高めるべく、散気装置３の散気部３ａを槽１内の底部略中央に配設すると共に紫外線照射ランプ４を槽１内の略中央に配設し、さらに、旋回循環流Ｓで流動する粒状吸着材２の流出を効果的に防止すべく、バッフル板８を槽１内の略中央に配設しているが、これらに限定されるものではなく、要は、散気装置３により粒状吸着材２を槽内で流動させ、この流動する粒状吸着材２に紫外線照射ランプ４により紫外線を照射し、この流動する粒状吸着材２をバッフル板８に衝突させることで、排出部５を通して槽１内から流出することを妨げることができれば良い。
【図面の簡単な説明】
【００３５】
【図１】本発明の第一実施形態に係る水処理装置を示す概略構成図である。
【図２】本発明の第二実施形態に係る水処理装置を示す概略構成図である。
【符号の説明】
【００３６】
１…処理槽、２…粒状吸着材、３…散気装置、３ａ…散気部、４…紫外線照射ランプ、５…排出部、７…光触媒、８…バッフル板、８ａ…筒部、８ｂ…拡径部、９…保護板、１００，２００…水処理装置、Ｓ…旋回循環流。
【図１】
2008142601.tif 000003
【図２】
2008142601.tif 000004